(57)【要約】【課題】  寒い時期でも暖かく、また、掛布団等の重さを軽減し、寝心地に優れる保温寝具を提供する。【解決手段】  下布団２の長辺両側端部と足側の短辺末端部に沿って筒状部５を形成し、当該筒状部５に、綿や発泡スチロールなどの厚肉形成材６を詰めて厚肉部４を形成し、当該厚肉部４を掛布団１２に密着させて、暖かく、優れた寝心地の寝床を提供する。また、筒状部５をチャックや面ファスナー等の開閉部材７によって開閉自在とし、厚肉形成材６の挿入や交換を容易なものとし、当該厚肉形成材６や下布団２の洗濯を容易に行うことができるようにする。【選択図】      図８
0003125918.tif 000002
【実用新案登録請求の範囲】
【請求項１】
下布団（２）の長辺両側端部と足側の短辺末端部に沿って筒状部（５）を形成し、該筒状部に、綿や発泡スチロールなどの厚肉形成材（６）を詰めて厚肉部（４）を形成してなる保温寝具。
【請求項２】
下布団（２）の長辺両側端部と足側の短辺末端部に沿って筒状部（５）を形成し、該筒状部に、綿や発泡スチロールなどの厚肉形成材（６）を詰めて厚肉部（４）を形成し、前記筒状部をチャックや面ファスナー等の開閉部材（７）によって開閉自在としてなる保温寝具。
【請求項３】
シーツ（３）の長辺両側端部と足側の短辺末端部に沿って筒状部（５）を形成し、該筒状部に、綿や発泡スチロールなどの厚肉形成材（６）を詰めて厚肉部（４）を形成し、前記筒状部をチャックや面ファスナー等の開閉部材（７）によって開閉自在としてなる保温寝具。
【請求項４】
シーツ（３）の長辺両側端部と足側の短辺末端部に沿って筒状部（５）を形成し、該筒状部に，綿や発泡スチロールなどの厚肉形成材（６）を詰めて厚肉部（４）を形成し、前記長辺両側端部の裏面のそれぞれに開口部が対向する左袋片（９）と右袋片（１０）を形成し，該左袋片と右袋片とで敷布団（１３）を挿入するための挿入部（８）を形成し、前記左袋片と右袋片のそれぞれに，前記敷布団を挿入した状態で両者を相互に締結するための紐片（１１）を設けてなる保温寝具。
【請求項５】
長辺両側端部に沿って形成した厚肉部（４）を、股部から足側に向けて幅広としてなる請求項１、２、３または４に記載の保温寝具。
【考案の詳細な説明】
【技術分野】
【０００１】
本考案は、暖かく、かつ、掛け布団の重さを軽減し、優れた寝心地を提供することのできる保温寝具に関するものである。
【背景技術】
【０００２】
一般に、寝床は、敷布団（下布団）の上に掛布団等を掛けて形成し、また、敷布団にはシーツを被せる。こうした寝床は、寒い時期において、二つの改善すべき問題点がある。一つは、敷布団と掛布団等との間から寒気が容易に入り込むので暖かさに欠けることである。二つ目は、寒い時期は厚い掛布団を掛けたり、掛布団の他に毛布等を掛ける場合が多いので、重苦しく圧迫感を感じ、寝心地が悪いことである。
【考案の開示】
【考案が解決しようとする課題】
【０００３】
本考案はこうした問題に鑑み創案されたもので、寒い時期でも暖かく、また、掛布団等の重さを軽減し、寝心地に優れる保温寝具を提供することを課題とする。
【課題を解決するための手段】
【０００４】
図１乃至図９を参照して説明する。請求項１に記載の保温寝具１は、下布団２の長辺両側端部と足側の短辺末端部に沿って筒状部５を形成し、当該筒状部５に、綿や発泡スチロールなどの厚肉形成材６を詰めて厚肉部４を形成してなるものである。
【０００５】
請求項２に記載の保温寝具１は、下布団２の長辺両側端部と足側の短辺末端部に沿って筒状部５を形成し、当該筒状部５に、綿や発泡スチロールなどの厚肉形成材６を詰めて厚肉部４を形成し、前記筒状部５をチャックや面ファスナー等の開閉部材７によって開閉自在としてなるものである。
【０００６】
請求項３に記載の保温寝具１は、シーツ３の長辺両側端部と足側の短辺末端部に沿って筒状部５を形成し、当該筒状部５に、綿や発泡スチロールなどの厚肉形成材６を詰めて厚肉部４を形成し、前記筒状部５をチャックや面ファスナー等の開閉部材７によって開閉自在としてなるものである。
【０００７】
請求項４に記載の保温寝具１は、シーツ３の長辺両側端部と足側の短辺末端部に沿って筒状部５を形成し、当該筒状部５に、綿や発泡スチロールなどの厚肉形成材６を詰めて厚肉部４を形成し、前記長辺両側端部の裏面のそれぞれに開口部が対向する左袋片９と右袋片１０を形成し、当該左袋片９と右袋片１０とで敷布団１３を挿入するための挿入部８を形成し、前記左袋片９と右袋片１０のそれぞれに、前記敷布団１３を挿入した状態で両者を相互に締結するための紐片１１を設けてなるものである。
【０００８】
請求項５に記載の保温寝具１は、請求項１乃至４に記載の考案において、長辺両側端部に沿って形成した厚肉部４を、股部から足側に向けて幅広としてなるものである。
【考案の効果】
【０００９】
請求項１に記載の保温寝具１は、下布団２の長辺両側端部と足側の短辺末端部に沿って筒状部５を形成し、その筒状部５に、綿や発泡スチロールなどの厚肉形成材６を詰めて厚肉部４を形成しているので、寒い時期でも暖かく、また、掛布団１２や毛布等の重さを軽減することができる。
【００１０】
例えば、図２に示すように、保温寝具１の上に掛布団１２を掛けると、厚肉部４の上端面と、掛布団１２の両側端部および末端部の下面とが密着状態となり、かつ、保温寝具１と掛布団１２との間には適度の空間が形成されるので、就寝者が手足を動かしたり、寝返りを打っても当該密着状態を良好に保つことができる。従って、保温寝具１と掛布団１２との間から寒気が入り込むことがなく、寝床内を暖かく保つことができる。
【００１１】
また、この保温寝具１は、その厚肉部４によって掛布団１２の両側端部をやや持ち上げた状態に保つので、当該掛布団１２の重さが軽減され、就寝者に重苦しさや圧迫感を感じさせない。従って、寝心地に優れる。
【００１２】
請求項２に記載の保温寝具１は、請求項１に記載の考案と同様に、厚肉部４のはたらきによって、寝床内を暖かく保つことができると共に、掛布団１２の重さを軽減することができるので、就寝者に優れた寝心地を提供することができる。
【００１３】
また、筒状部５をチャックや面ファスナー等の開閉部材７によって開閉自在としているので、当該筒状部５に、厚肉形成材６を容易に詰めることができる。また、厚肉形成材６の交換や、筒状部５から取り出しての洗浄も容易に行うことができる。さらに、下布団２を洗浄する際には、厚肉形成材６を取り出した後、所定の方法で従前通り容易に行うことができる。
【００１４】
請求項３に記載の保温寝具１は、シーツ３の長辺両側端部と足側の短辺末端部に沿って筒状部５を形成し、その筒状部５に、綿や発泡スチロールなどの厚肉形成材６を詰めて厚肉部４を形成しているので、寒い時期でも暖かく、また、掛布団１２等の重さを軽減することができる。
【００１５】
すなわち、例えば、図５に示すように、この保温寝具１を敷布団１３の上に被せ、その上に掛布団１２を掛けると、厚肉部４の上端面と、掛布団１２の両側端部および末端部の下面とが密着状態となり、かつ、保温寝具１と掛布団１２との間には適度の空間が形成される。従って、就寝者が手足を動かしたり、寝返りを打っても当該密着状態が良好に保たれ、敷布団１３および保温寝具１と掛布団１２との間から寒気が入り込むことがなく、寝床内を暖かく保つことができる。
【００１６】
また、この保温寝具１は、その厚肉部４によって掛布団１２の両側端部をやや持ち上げた状態に保つので、当該掛布団１２の重さが軽減され、就寝者に重苦しさや圧迫感を感じさせない。従って、寝心地に優れる。
【００１７】
また、筒状部５をチャックや面ファスナー等の開閉部材７によって開閉自在としているので、当該筒状部５に、厚肉形成材６を容易に詰めることができる。また、厚肉形成材６の交換や洗浄も容易に行うことができる。さらに、シーツ３の洗浄も、この厚肉形成材６を取り出すことによって、容易に行うことができる。
【００１８】
請求項４に記載の保温寝具１は厚肉部４を設けているので、請求項１乃至３に記載の考案と同様に、寒い時期でも暖かく、また、掛布団１２等の重さを軽減することができる。
【００１９】
また、長辺両側端部の裏面のそれぞれに開口部が対向する左袋片９と右袋片１０を形成し、その左袋片９と右袋片１０とで敷布団１３を挿入するための挿入部８を形成し、さらに、左袋片９と右袋片１０のそれぞれに、敷布団１３を挿入した状態で両者を相互に締結するための紐片１１を設けているので、当該保温寝具１を敷布団１３に容易に装着することができ、かつ、その装着状態を安定姿勢で良好に保つことができる。
【００２０】
請求項５に記載の保温寝具１は、長辺両側端部に沿って形成した厚肉部４を、股部から足側に向けて幅広としているので、就寝者の足部分における左右の厚肉部４の間隔を狭めた熱の溜まり易い空間とし、当該足部を効果的に温めることができる。これにより、特に冷え易い足を温め、さらに心地よい睡眠を提供することができる。
【考案を実施するための最良の形態】
【００２１】
本考案に係る保温寝具１の第一実施形態を、図１および図２に示す。これは、下布団２の長辺両側端部と足側の短辺末端部に沿って筒状部５を形成し、その筒状部５に、綿である厚肉形成材６を詰めて厚肉部４を形成したものである。なお、綿に代えて、発泡スチロール、布、あるいはスポンジなどを詰めることもできる。
【００２２】
この保温寝具１は、図２に示すように、その上に掛布団１２を掛けると、厚肉部４の上端面と、掛布団１２の両側端部および末端部の下面とが密着状態となり、かつ、保温寝具１と掛布団１２との間には適度の空間が形成されるので、就寝者が手足を動かしたり、寝返りを打っても当該密着状態を良好に保つことができる。従って、保温寝具１と掛布団１２との間から寒気が入り込むことがなく、寝床内を暖かく保つことができる。
【００２３】
また、この保温寝具１は、その厚肉部４によって掛布団１２の両側端部をやや持ち上げた状態に保つことができる。従って、掛布団１２の重さが軽減され、就寝者に重苦しさや圧迫感を感じさせず、優れた寝心地を提供することができる。
【００２４】
本考案に係る保温寝具１の第二実施形態を、図３に示す。これは、第一実施形態に示す保温寝具１において、その筒状部５の側面を開閉部材７であるチャックによって開閉自在としたものである。なお、チャックに代えて面ファスナーを設けて開閉自在とすることもできる。また、紐によっても開閉自在とすることができる。
【００２５】
これにより、筒状部５に、厚肉形成材６を容易に詰めることができる。また、厚肉形成材６の交換や、筒状部５から取り出しての洗浄も容易に行うことができる。さらに、下布団２を洗浄する際には、厚肉形成材６を取り出して、容易に行うことができるといった利点を有する。
【００２６】
本考案に係る保温寝具１の第三実施形態を、図４および図５に示す。これは、シーツ３の長辺両側端部と足側の短辺末端部に沿って筒状部５を形成し、当該筒状部５に、綿である厚肉形成材６を詰めて厚肉部４を形成したものである。また、筒状部５を開閉部材７であるチャックによって開閉自在としている。なお、綿に代えて、発泡スチロールや布あるいはスポンジを使用することができ、チャックに代えて面ファスナーや紐で開閉自在とすることもできる。
【００２７】
この保温寝具１は、図５に示すように、敷布団１３の上に被せ、その上に掛布団１２を掛けて使用することができる。これにより、厚肉部４の上端面と、掛布団１２の両側端部および末端部の下面とが密着状態となり、かつ、保温寝具１と掛布団１２との間には適度の空間が形成される。従って、就寝者が手足を動かしたり、寝返りを打っても当該密着状態が良好に保たれ、当該本寝具１と掛布団１２との間から寒気が入り込むのを防止できるため、寝床内を暖かく保つことができる。
【００２８】
また、この保温寝具１は、その厚肉部４によって掛布団１２の両側端部をやや持ち上げた状態に保つことができるので、当該掛布団１２の重さが軽減され、就寝者に重苦しさや圧迫感を感じさせない。従って、就寝者に良好な寝心地を提供することができる。
【００２９】
また、筒状部５を開閉部材（チャック）７によって開閉自在としているので、当該筒状部５に、厚肉形成材６を容易に詰めることができる。また、厚肉形成材６の交換や洗浄も容易である。さらに、シーツ３の洗浄も、この厚肉形成材６を取り出すことによって、容易に行うことができる。
【００３０】
本考案に係る保温寝具１の第四実施形態を、図６乃至図８に示す。これは、第三実施形態に示すものにおいて、その長辺両側端部の裏面のそれぞれに、開口部がシーツ３の中心側に向かって対向する袋状の左袋片９と右袋片１０を形成し、当該左袋片９と右袋片１０とで敷布団１３を挿入するための挿入部８を形成したものである。また、左袋片９と右袋片１０のそれぞれに、敷布団１３を挿入した状態で当該左袋片９と右袋片１０を相互に締結するための紐片１１を設けている。こうすることによって、当該保温寝具１を、敷布団１３に容易に装着することができる。また、この装着状態を、良好に維持することができるといった利点を有する。
【００３１】
本考案に係る保温寝具１の第五実施形態を、図９に示す。これは、第一乃至第四実施形態のものにおいて、その長辺両側端部に沿って形成した厚肉部４を、股部から足側に向けて幅広としたものである。
【００３２】
こうすることによって、就寝者の足部における左右の厚肉部４の間隔を狭めた形態とし、当該足部を効果的に温めることができる。足部は特に冷え易いが、こうした構成とすることにより、冷えを防ぎ、就寝者にさらに良好な寝心地を提供することができる。
【００３３】
なお、上記全ての実施形態において、筒状部５に詰める厚肉形成材６は、図３に示すような長尺状のものでも良いし、図６に示すように、短尺状のものでも良い。
【図面の簡単な説明】
【００３４】
【図１】本考案に係る保温寝具の第一実施形態を示す斜視図である。
【図２】図１のＸ−Ｘ線断面図である。
【図３】本考案に係る保温寝具の第二実施形態を示す平面図である。
【図４】本考案に係る保温寝具の第三実施形態を示す斜視図である。
【図５】図４に示す保温寝具の一部断面正面図である。
【図６】本考案に係る保温寝具の第四実施形態を示す平面図である。
【図７】図６に示す保温寝具の底面図である。
【図８】図６に示す保温寝具の一部断面正面図である。
【図９】本考案に係る保温寝具の第五実施形態を示す平面図である。
【符号の説明】
【００３５】
１      保温寝具
２      下布団
３      シーツ
４      厚肉部
５      筒状部
６      厚肉形成材
７      開閉部材
８      挿入部
９      左袋片
１０    右袋片
１１    紐片
１２    掛布団
１３    敷布団
【図１】
0003125918.tif 000003
【図２】
0003125918.tif 000004
【図３】
0003125918.tif 000005
【図４】
0003125918.tif 000006
【図５】
0003125918.tif 000007
【図６】
0003125918.tif 000008
【図７】
0003125918.tif 000009
【図８】
0003125918.tif 000010
【図９】
0003125918.tif 000011